(57)【要約】【課題】  レジ作業の円滑化を確保しつつ、レジ近辺で客に対して高い広告顕示性を発揮させることができるレジカウンタ装置を提供する。【解決手段】  レジカウンタ１の天板１２の表面における客流れ方向ａの上流側面部１２Ａに凹所５を形成し、耐磨耗性および低摩擦性の表面保護層２１を有する広告パネル２０を前記天板１２の表面と面一状態で前記凹所５に着脱可能に嵌着する。【選択図】  図１
2005095362.tif 000002
【特許請求の範囲】
【請求項１】
レジカウンタの天板表面における客流れ方向の上流側面部に、耐磨耗性および低摩擦性の表面保護層を有する広告面を設けたことを特徴とするレジカウンタ装置。
【請求項２】
レジカウンタの天板表面における客流れ方向の上流側面部に凹所を形成し、
耐磨耗性および低摩擦性の表面保護層を有する広告パネルを前記天板の表面と面一状態で前記凹所に着脱可能に嵌着したことを特徴とするレジカウンタ装置。
【請求項３】
前記広告パネルは、前記表面保護層が形成された透光性材からなるパネル基体と、上面に広告が表示され、前記パネル基体の下側に載置される広告シートとを備えたことを特徴とする請求項２に記載のレジカウンタ装置。
【請求項４】
前記広告パネルと前記凹所の内底面との間に、弾性シートが介在されていることを特徴とする請求項２または３に記載のレジカウンタ装置。
【発明の詳細な説明】
【技術分野】
【０００１】
この発明は、スーパーマーケットなどのセルフサービスによる販売方式を採る店舗に設置されているレジカウンタ装置に関する。
【背景技術】
【０００２】
この種の店舗においては、買い物客（以下、客という）が店舗側の買い物かごを持って商品を選択しながら移動し、レジの場所に至るまでは、ゆっくりと足を止めて広告などを見つめることは殆どない。つまり、店内移動中の客は、陳列棚や保冷棚などの前に来ても、購入したい商品の検討のみに殆ど意識が集中しているから、各所の棚などにチラシなどの広告を掲示しても、客に余り注目されにくい傾向にある。
【０００３】
客は、レジの場所に至ると、一応購入商品が決まったことの達成感もあって、やや落ち着いた気分になり、広告などに目をやる余裕がでる。このような心理状態でレジ待ちしている客がさらに買い足しするのを期待して、多くの店舗では、このレジ付近の陳列棚に、あまり高価でもなく、買い置きしても無駄にならない商品、例えば電池、使い捨てのシェーバ、ビデオテープなどを陳列してある。
【０００４】
このような事情から、レジ付近に推奨商品などの広告を掲示すれば、客に対する有効な顕示性を発揮できることが分かっている。
【発明の開示】
【発明が解決しようとする課題】
【０００５】
ところが、このレジ近辺は、客が集中する場所であって、客の流れルートを確保しておく必要があるうえ、レジ付近の陳列棚に広告パネルなどを設置するにも、十分なスペースが確保できないという問題があった。
【０００６】
解決しようとする課題は、円滑なレジ作業を確保しつつ、レジ付近に広告を設けて、客に対して高い広告顕示性を発揮させることができるようにすることである。
【課題を解決するための手段】
【０００７】
この発明は、レジカウンタの天板表面における客流れ方向の上流側面部に、耐磨耗性および低摩擦性の表面保護層を有する広告パネルを設けたことを特徴とするレジカウンタ装置に係わるものである。
【発明の効果】
【０００８】
この発明のレジカウンタ装置によれば、表面保護層を有する広告パネルをレジカウンタの天板表面に設けたから、レジ付近の客の流れやレジ作業を妨げるおそれもなく、前記天板の表面スペースを有効利用して商品をアピールでき、しかもこのレジ付近に至った客はレジ近辺に目をやる余裕ができているので、その分、視界に入った広告パネルからの広告を受け入れやすく、従って有効な宣伝効果を期待できる。
【０００９】
前記レジカウンタに広告媒体機能を持たせたことにより、レジカウンタの付加価値が高められるので、店舗側や広告主のそれぞれにメリットがある他に、カウンタ製造販売業者も広告料を見込んで割安に提供することが可能となり、価格競争に打ち勝つことができるメリットもある。
【発明を実施するための最良の課題】
【００１０】
以下、この発明の実施形態を図面に基づいて説明する。
【００１１】
図１は、この発明の実施形態にかかるレジカウンタ装置が設置された店舗におけるレジ付近を示す斜視図である。
【００１２】
図１において、レジカウンタ装置Ａは、レジカウンタ１、商品コード読み取り装置２、レジスター装置３などを備えている。
【００１３】
前記レジカウンタ１は、店員のレジ作業に伴う客の流れ方向（矢印ａ方向）へ沿って長いカウンタ本体１１と、このカウンタ本体１１の上端に固定された天板１２とを備えており、天板１２における客流れ方向の略中央部に前記商品コード読み取り装置２が装備されている。
【００１４】
商品コード読み取り装置２は、店員が図３に示す買い物かごＭに入れられた商品Ｎを手にとってかざすことにより、商品に付された所定のコードから値段などの検出信号を前記レジスター装置３に送出する。
【００１５】
前記天板１２における前記商品コード読み取り装置２よりも上流側の面部１２Ａは、レジに至った客が店員のレジ作業に待機するために商品Ｎを入れた買い物かごＭを載せる待機領域となっており、また、前記商品コード読み取り装置２よりも下流側の面部１２Ｂは、商品コードが読み取られた商品Ｎを店員が順次、空の買い物かごＭに入れるための領域となっている。
【００１６】
前記レジカウンタ１における前記客流れ方向の下流端近傍に前記レジスター装置３が配置されており、前記読み取り作業を行った店員は、このレジスター装置３により釣り銭などを算出させる。
【００１７】
なお、このレジカウンタ１における上流側端付近に、電池やビデオテープなどの日用品Ｎの陳列棚４を配置してある。
【００１８】
前記天板１２における上流側面部１２Ａには、図２および図３に示すように、平面形状が例えば角形で比較的浅い凹所５が形成されており、この凹所５には、耐磨耗性および低摩擦性の透光性の表面保護層２１を有する広告パネル２０が着脱可能に嵌着されている。なお、広告パネル２０と前記凹所５の内底面との間には、弾性シート６が介在されている。
【００１９】
前記広告パネル２０は、図４に示すように、前記表面保護層２１が形成されている板状のパネル基体２２と、このパネル基体２２の裏面側に重合される広告表示層２３とを有している。
【００２０】
前記パネル基体２２は、表面側から前記広告表示層２３を透視できるように、厚さ３ｍｍ程度の薄肉の透光性材、例えば透明なガラス板、ポリカーボネート樹脂ないしはこの例のようなアクリル樹脂板からなる。勿論、このパネル基体２２は、完全に透明なものに限られるものではない。
【００２１】
前記広告表示層２３は、図４にも示すように、例えば前記パネル基体２２と前記弾性シート６との間に上向きで介在されたポスターないしはチラシのような広告シート（広告紙）２４の表面に印刷された広告印刷層として構成されている。
【００２２】
前記表面保護層２１は、商品Ｎを入れた買い物かごＭを載せたり、滑らしたりしても、これらに耐えられるように、パネル基体２２の表面に耐磨耗性および低摩擦性を与えるものであり、例えばパネル基体２２の表面に塗布されたアクリル系やシリコン系の架橋反応性硬化液を紫外線または熱等で硬化させて形成された硬化膜から構成されている。
【００２３】
前記弾性シート６は、前記凹所５内の広告パネル２０を安定支持させるものであり、０．８ｍｍ程度の薄いゴムシートなどからなり、安定状態で嵌着されれば、省いてもよい。なお、前記凹所５内の広告パネル２０を指や工具で簡単に取り出せるように、例えば凹所５の底面に図３に示すような孔部５１を形成しておき、天板１２の下側から広告パネル２０を押し上げられるようにしておくとよい。
【００２４】
上記構成のレジカウンタ装置Ａにおいて、天板１２に前記広告パネル２０を組み付けるには、まず、前記凹所５内に弾性シート６を載置し、この弾性シート６上に、前記広告表示層２３を上側にした広告紙２４を載せ、最後に表面保護層２１を上側にしたパネル基体２２を前記広告紙２４の上に載せる。これにより、広告パネル２０が天板１２の表面に面一状態で前記凹所５内に取り外し可能に装着される。
【００２５】
さて、上記構成のレジカウンタ装置Ａが設置された店舗においては、選んだ商品Ｎを買い物かごＭにいれた客がレジカウンタ装置Ａに至ると、客は買い物かごＭをレジカウンタ１の天板１２の上流側面部１２Ａ上に載せる。その買い物かごＭは、先の客のレジ作業が済めば、店員により商品コード読み取り装置２の近くまで引き寄せられる。
【００２６】
店員は、買い物かごＭ内の商品Ｎを一つずつ取って商品コード読み取り装置２により商品コードを読み取らせ、読み取り済の商品Ｎを順次、天板下流側面部１２Ｂに置いてある空の買い物かごＭ内に入れていく。
【００２７】
全部の商品Ｎが前記空の買い物かごＭに入れられると、お客の支払いが行われ、支払いが済めば、客は商品Ｎが入った買い物かごＭをもって商品引き取り台で商品Ｎの詰め替え作業を行う。
【００２８】
ところで、客がレジ付近に来てレジ待ちになった時、あるいは買い物かごＭを前記天板１２に載せる時にまず目に入るのは、天板１２の広い表面である。この時、天板１２に広告パネル２０が存在するので、この広告パネル２０に客の目が行くのが自然である。つまり、天板１２の表面を利用して前記広告パネル２０を設けたので、レジ待ちの客に対する広告の顕示性が高く、店舗側の推奨商品などを有効に宣伝できる。
【００２９】
しかも、この天板１２の表面スペースを有効利用しているので、レジ付近に特別の広告パネルを設置する必要がなく、レジ待ちの客の流れルートを十分確保しつつ、前記宣伝効果が発揮される。
【００３０】
このレジ付近に至った客は、一通りの買い物を行って比較的落ちついた気分になっているので、この広告パネル２０の広告内容を受入れやすい。このため、その広告が、例えばレジカウンタ１の上流側近くの陳列棚４にあるビデオテープなどの商品Ｎの宣伝であれば、広告パネル２０を見た客が思わず前記陳列棚４の商品Ｎを買い足す確率が高くなる。
【００３１】
広告パネル２０は、前記凹所５に嵌着されて天板１２の表面と面一で嵌着され、しかも表面保護層が設けられているので、商品Ｎが入った買い物かごＭを天板１２上に置いたり、滑らしたりされた際でも、表面が傷付いたり、買い物かごＭが引っかかたりするおそれもなく、レジ作業が円滑に行える。
【００３２】
なお、前記弾性シート６を設けてあれば、買い物かごがＭが広告パネル２０上に衝撃的に置かれた際でも、弾性シート６により衝撃を吸収させることが可能となる。
【００３３】
さらにまた、広告パネル２０は、天板１２の凹所５に対して着脱可能に構成されているから、例えば定期的に広告内容を変更することができ、客に対して広告の新鮮味を感じさせることができる。この例では、前記パネル基体２１を凹所５から取り外し、チラシのような広告紙２４を別のものと交換すればよい。
【００３４】
このようにレジカウンタ機能を損なうことなく、天板１２を商品Ｎの広告媒体として利用できることにより、レジカウンタ１の付加価値が高まり、店舗側および広告主側にとって有利であるばかりか、レジカウンタ１の製造販売業者側においても、広告料を見込んで製作費を割安に見積もることができ、同業者間での価格競争で優位に立てる利点がある。
【００３５】
ところで、前記実施形態では、シート状パネル基体２２と弾性シート６との間にチラシ紙のような広告紙２４を介在し、広告紙２４の印刷層を広告表示層２３としたもの、つまり、広告表示層２３がパネル基体２２とは別体構成のもので説明したが、図５および図６に示すように、透光性パネル基体２２の裏面側に広告表示層２３を印刷方法など形成して広告パネル３０を構成したものであってもよい。
【００３６】
この場合は、広告パネル３０の交換などが１枚扱いで容易になるうえ、広告パネル３０を他店舗との間で使い回しする場合などの使用形態であっても、広告紙２４のように、破れたり、ちぎれたりするおそれがない。
【００３７】
また、前記各例では、広告パネル２０（３０）におけるシート状のパネル基体２２として透光性材を使用したが、非透光性材で構成することも可能である。例えば、図７および図８に示すように、パネル基体４２を非透光性材、例えば厚さ１ｍｍ程度のＳＵＳ板で構成し、そのパネル基体４２の表面に印刷による広告表示層２３を形成し、その広告表示層２３の表面を表面保護層２１で被覆したものである。前記広告表示層２３は、このパネル基体４２の表面に熱昇華プリント法などにより容易、かつ綺麗に印刷可能である。
【００３８】
この場合は、表面保護層２１を透して広告表示層２３を間近に視認でき、広告内容の視認性が高くなる。
【００３９】
また、前記各例では、広告パネル２０，３０，４０を天板１２の凹所５に対して単に載置したが、広告パネル２０，３０，４０の周縁部に金属フレーム等を設ける一方、凹所５にマグネットシート等を取り付けて、磁力によって広告パネル２０，３０，４０が凹所５から浮き上がることをより確実に防止することもできる。
【００４０】
また、前記各例では、天板１２に形成した凹所５に広告パネル２０を嵌着するようにしたが、フラットに形成した天板１２の表面に広告面を設けてもよい。例えば、図９および図１０に示すように、フラットに形成した天板１２の表面にポスターないしはチラシのような広告シート（広告紙）５１を載置し、この表面および周縁を覆うように、低摩耗性および低摩擦性を有する透明な表面保護フィルム５２を貼着することにより、広告面５０を構成したものである。この表面保護フィルムは天板１２の全面に貼着するようにしてもよい。
【００４１】
このような構成によると、非常に簡素な構成でありながら、客に対して高い広告顕示性を発揮できるレジカウンタ装置を実現することができる。
【００４２】
また、フラットに形成した天板１２の表面に広告面を設ける場合であっても、所定の厚みを有する板状のカバーを用いることもできる。例えば、図１１〜図１３に示すように、フラットに形成した天板１２の表面にポスターないしはチラシのような広告シート（広告紙）６１を載置し、この広告シート６１を覆う透明パネル６２を天板１２に取り付けることにより、広告面６０を構成したものである。
【００４３】
この透明パネル６２は、たとえば３ｍｍ程度のアクリル板やポリカーボネート板等からなり、その表面には、耐摩耗性および低摩擦性の表面保護層を形成する表面コーティングが施されている。
【００４４】
また、この透明パネル６２は、図１２に示すように、レジカウンタ１の客通路側と店員側とで、天板１２の縁部に巻き付けるように屈曲し、天板１２の裏面側でネジ６３…等で取り付けられており、一方側のネジ６３を外して天板１２から剥がすように曲げることにより、天板１２との間に挟み込んだ広告シート６１を交換可能になっている。
【００４５】
また、この透明パネル６２には、図１３に示すように、客の流れ方向（矢印ａ方向）の前縁部と後縁部に厚みが漸減する傾斜面６４，６４が形成され、天板１２上に段差を形成せず、滑らかなスロープを構成するようになっている。これにより、天板１２上におかれた買い物かごＭが透明パネル６２に引っかかったりするおそれもなく、レジ作業を円滑に行うことができるようになっている。
【００４６】
このような構成によると、天板に凹部を設けない非常に簡素な構成でありながら、広告面に十分な強度を確保することができる。
【図面の簡単な説明】
【００４７】
【図１】この発明の実施形態にかかるレジカウンタ装置が適用されたスーパーマーケットにおけるレジ設備付近の斜視図である。
【図２】レジカウンタの天板に設けた凹所に嵌着される広告パネルの分解斜視図である。
【図３】凹所に広告パネルが嵌着されたレジカウンタを示す一部の断面図である。
【図４】図３のＸ部分の拡大断面図である。
【図５】シート状パネル基体の変形例を示す広告パネルの分解斜視図である。
【図６】同じく変形例において、図３のＹ部分に相当する拡大断面図である。
【図７】シート状パネル基体の別の変形例を示す広告パネルの分解斜視図である。
【図８】同じく別の変形例において、図３のＺ部分に相当する拡大断面図である。
【図９】他の変形例を示すレジカウンタ設備付近の斜視図である。
【図１０】同じく他の変形例における広告面の断面図である。
【図１１】さらに他の変形例を示すレジカウンタ設備付近の斜視図である。
【図１２】図１１のＸ−Ｘ線断面図である。
【図１３】図１１のＹ−Ｙ線断面図である。
【符号の説明】
【００４８】
１・・・・・・・・・・・レジカウンタ
５・・・・・・・・・・・凹所
１２・・・・・・・・・・天板
１２Ａ・・・・・・・・・天板における上流側面部
２０（３０）（４０）・・・広告パネル
２１・・・・・・・・・・表面保護層
２３・・・・・・・・・・広告表示層
ａ・・・・・・・・・・・客流れ方向
【図１】
2005095362.tif 000003
【図２】
2005095362.tif 000004
【図３】
2005095362.tif 000005
【図４】
2005095362.tif 000006
【図５】
2005095362.tif 000007
【図６】
2005095362.tif 000008
【図７】
2005095362.tif 000009
【図８】
2005095362.tif 000010
【図９】
2005095362.tif 000011
【図１０】
2005095362.tif 000012
【図１１】
2005095362.tif 000013
【図１２】
2005095362.tif 000014
【図１３】
2005095362.tif 000015